(57)【要約】【課題】山部の成形開始位置を特定し易いねじ部品の提供。【解決手段】本発明に係るねじ部品１は、外周に螺旋状の山部２２を形成したねじ軸部２０と、このねじ軸部２０に連設された支持軸部１０とを一体に備える。前記山部２２は、軸周りに付された基部１１を起点に成形されて成り、当該山部２２の成形開始位置Ａと基部１１との位置関係を予め定められて成ることを特徴とする。これにより、多数の前記ねじ部品１をワークへセットするなど扱う場合、前記基部１１の向きを一定にすればセットされた全てのねじ部品１の山頂２２ａが軸方向の特定の位置に定まる。【選択図】図１
2019211061.tif 000002
【特許請求の範囲】
【請求項１】
外周に螺旋状の山部を形成したねじ軸部と、このねじ軸部に連設された支持軸部とを一体に備えたねじ部品において、
前記山部は、軸周りに付された基部を起点に成形されて成り、当該山部の成形開始位置と前記基部との位置関係を予め定められて成ることを特徴とするねじ部品。
【請求項２】
前記基部は、前記支持軸部の外周に付されていることを特徴とする請求項１に記載のねじ部品。
【請求項３】
前記基部は、前記支持軸部の端面に付されていることを特徴とする請求項１または請求項２に記載のねじ部品。
【請求項４】
前記基部は、拡径する方向へ一部張り出す凸部であることを特徴とする請求項１ないし請求項３の何れかに記載のねじ部品。
【請求項５】
前記基部は、縮径する方向へ一部凹入する凹部であることを特徴とする請求項１ないし請求項３の何れかに記載のねじ部品。
【請求項６】
前記支持軸部は、前記ねじ軸部よりも大径の鍔部を備え、
前記鍔部は、前記基部を具備して成ることを特徴とする請求項１ないし請求項５の何れかに記載のねじ部品。
【請求項７】
前記鍔部は、その外周を多角形にして成ることを特徴とする請求項１ないし請求項６の何れかに記載のねじ部品。
【請求項８】
前記山部の成形開始位置は、前記基部を起点にして±４５°の範囲に設定されて成る請求項１ないし請求項７の何れかに記載のねじ部品。
【発明の詳細な説明】
【技術分野】
【０００１】
本発明は、螺旋状に成形された山部の成形開始位置を特定し易いねじ部品に関する。
【背景技術】
【０００２】
特許文献１および特許文献２には、従来のねじ部品の一例であるウォームギヤと、これに噛合するウォームホイールとが開示されている。従来のウォームギヤは、その外周に螺旋状に成形された山部を備えており、モータに連結されて回転するよう構成されている。一方、前記ウォームホイールは、前記ウォームギヤを介して前記モータの回転を減速し回転出力するよう構成されている。
【０００３】
また、特許文献２は、上述したウォームギヤおよびウォームホイールの組み付けについて開示されており、具体的には前記ウォームギヤをケーシングへ回転自在に装着した後、前記ウォームホイールを当該ウォームギヤの上方から挿入して組み付けることが記されている。
【先行技術文献】
【特許文献】
【０００４】
【特許文献１】特開2016-120749号公報
【特許文献２】特許第3542819号公報
【発明の概要】
【発明が解決しようとする課題】
【０００５】
しかしながら、従来のねじ部品は、前記山部の成形開始位置を特定されないまま前記ケーシングに装着されているので、毎回ケーシングに装着されたねじ部品の山部山頂は、当該ねじ部品の軸方向の特定位置に揃わないという問題があった。このため、上方から挿入されるウォームホイールの山部がねじ部品の山部に乗り上がってしまい組付作業が効率的に行えなかった。
【０００６】
また、従来のねじ部品は、上述したようにケーシングへのセット状態では当該山頂の軸方向の位置が毎回定まらないので、ウォームホイールを上方から挿入する組立設備は、これら互いの山部の山頂が合致するか否か確認する高価なカメラを要する必要があった。よって、従来のねじ部品は、組立設備のコストを増大させ易いという問題もあった。
【課題を解決するための手段】
【０００７】
本発明は、外周に螺旋状の山部を形成したねじ軸部と、このねじ軸部に連設された支持軸部とを一体に備えたねじ部品において、前記山部は、軸周りに付された基部を起点に成形されて成り、当該山部の成形開始位置と前記基部との位置関係を予め定められて成ることを特徴とする。なお、前記基部は、前記支持軸部の外周に付されていることが望ましく、前記支持軸部の端面に付されていてもよい。また、前記基部は、拡径する方向へ一部張り出す凸部あるいは、縮径する方向へ一部凹入する凹部であってもよい。さらに、前記支持軸部は、前記ねじ軸部よりも大径の鍔部を備え、前記鍔部は、前記基部を具備して成ることが望ましい。また、前記鍔部は、その外周を多角形にしてもよい。さらに、前記山部の成形開始位置は、前記基部を起点にして±４５°の範囲に設定されて成ることが望ましい。
【発明の効果】
【０００８】
本発明に係るねじ部品は、基部と山部の成形開始位置との位置関係が予め定められているので、これらねじ部品をケーシングへ順次セットする場合、前記基部を予め取り決めた向きにすることで、前記山部の位置が統一され当該山頂の位置が軸方向にバラつき難いという利点がある。つまり、このようにケーシングにセットされたねじ部品は、何れも前記山頂の位置が全て一致するので、この後、前記ウォームホイールを配する際、当該ウォームホイールの山部の位置だけを考慮すればよく、従来のような山部同士が干渉し組み付けられない状況にもなり難い。
【０００９】
また、本発明に係るねじ部品は、前記基部を支持軸部の外周あるいは端面に付しているので、これをピックアップして前記ケーシングへセットする際、当該基部を確認し易いという利点もある。さらに、本発明に係るねじ部品は、前記凸部あるいは凹部などの基部を具備するので、ケーシングへセットする作業者などはより確認し易くなるという利点もある。また、本発明に係るねじ部品は、大径の鍔部を備えているので当該鍔部を掴んでケーシングにセットし易く、さらに、当該鍔部に基部を付しているので基部をより確認し易いという利点もある。また、本発明に係るねじ部品は、前記鍔部を多角形にしているので、所謂六角ボルトに基部を付したものをも含む。これにより、六角ボルトを素材として用い基部のみ追加工することで容易に製作できるという利点もある。さらに、本発明に係るねじ部品は、基部を起点に±４５°の範囲内に山部の成形開始位置を定めているので、当該山部の山頂の位置を±８分の１ピッチ以内の範囲に収めることができるという利点もある。よって、ねじ部品へウォームホイールをセットした際、従来のようにウォームホイールが乗り上がるような状況にもなり難く、この組付作業を効率的に行うことができる。
【図面の簡単な説明】
【００１０】
【図１】本発明に係るねじ部品の側面図である。
【図２】図１のＢ−Ｂ線断面図である。
【図３】図１に示した鍔部を別形態に置き替えたＢ−Ｂ線断面図である。
【図４】他のねじ部品の一例であるウォームギヤの側面図である。
【図５】別のねじ部品の一例である  を示す斜視図である。
【発明を実施するための形態】
【００１１】
本発明に係るねじ部品１を図１ないし図５に基づいて説明する。本発明に係るねじ部品１は、螺旋状に形成した山部２２を備えるねじ軸部２０と、このねじ軸部２０に接続され当該山部２２を具備しない支持軸部１０とを一体に備える。
【００１２】
前記支持軸部１０は、回転駆動源の一例であるモータ（図示せず）の回転力を受けるよう構成されており、図示しない軸受へ挿通されて回転支持可能に構成されている。また、前記支持軸部１０は、図１に示すものであれば、前記ねじ軸部２０から上方へ延び直径を替え多段の構成であり、ねじ軸部２０の一端から延びる中径軸部１３と、この中径軸部１３よりも大径の大径軸部１２と、前記中径軸部１３よりも小径の小径軸部５とを備える。
【００１３】
前記大径軸部１２は、図１に示すように前記ねじ軸部２０の外形よりも大径に寸法設定されている時にはその軸線に直交する方向へ延びる座面１０ａを具備して成る。このように前記座面１０ａを有する大径軸部１２は、鍔部として成る。
【００１４】
この鍔部は、図１および図２に示すものであれば、拡径する方向に一部張り出した山状の特異な形状から成る凸部を備える一方、図３に示すものであれば、縮径する方向に一部凹入したＵ字状の特異な形状から成る凹部を備える。なお、図３に示す鍔部は、その外周が多角形の一例である六角形で構成されており、前記凹部を備えている。また、これら凸部あるいは凹部は、ねじ部品１の軸周りの形状として特徴付けられており、これらを基部１１とする。
【００１５】
さらに、前記基部１１は、上述した図１ないし図３に示す形状のみに限定されるものでは無く、例えば、図４に示すような軸周りに付された縦溝や、図５に示すような前記鍔部の端面に付されねじ部品１の軸線から所定距離離れた箇所に配されているようなものであってもよい。つまり、基部１１は、ねじ部品１の軸周りの位置を特定できるものであればよい。
【００１６】
前記ねじ軸部２０は、螺旋状に連なる山形を成す山部２２と、この山部２２の終端Ｃから同径で下方へ延びる下端軸部２３とを具備して成る。
【００１７】
前記山部２２は、前記支持軸部１０との接続箇所から成形され始め、この成形され始める成形開始位置Ａから徐々に山頂２２ａを高くするよう形成されている。また、このように徐々に高くなる山頂２２ａは、前記成形開始位置Ａから約半周進んだ位置で最大高さとなる。さらに、この最大高さに到達した山部２２は、当該最大高さを保ったまま図１に示すように平らな山頂２２ａを前記下端軸部２３へ向かって連続して成形されている。また、前記下端軸部２３へ達する直前の範囲において、徐々に山頂２２ａを低くし前記終端Ｃへ到達している。
【００１８】
また、前記山部２２は、前記山頂２２ａと、当該山頂２２ａとは逆に低い高さから成る谷２２ｂとを交互に配置するよう構成されており、谷部２２ｂおよび山頂２２ａを結んで構成される斜面Ａ１を備えて成る。
【００１９】
さらに、前記山部２２は、図２および図３に示すように前記基部１１の中心線を起点にここから予め設定された角度αの範囲内に位置するよう設定されている。これにより、複数個のねじ部品１が生産されたとしても、何れのねじ部品１も基部１１と成形開始位置Ａとの位置関係が一致している。よって、ねじ部品１を従来のようにケーシングへセットする際、基部１１を常に同じ方向になるようセットすれば、何れのねじ部品１も前記山頂２２ａの位置が軸方向に定まり特定の位置に揃う。これにより、本発明に係るねじ部品１は、従来のような高価なカメラを搭載していない安価な組立設備であっても、前記山頂２２ａを軸方向の特定位置に揃えることができるという利点がある。
【００２０】
また、前記角度αは、前記基部１１の中心を起点にして±４５°としてもよい。これにより、当該山部２２の山頂２２ａの軸方向の位置は、±８分の１ピッチの範囲内に定めることができるため、谷２２ｂと山頂２２ａとの軸方向の位置が入れ替わるようなことにならない。よって、ウォームホイールが、当がねじ部品１に乗り上がり噛み合わないような整合性のとれない状況も生じ難い。
【００２１】
上述したように本発明に係るねじ部品１は、前記山部を基部１１に基づき成形して成るので、山頂２２ａの軸方向の位置を揃えて毎回セットできる。したがって、このセットされたねじ部品１に係合可能なウォームホイールを組み付ける場合、このウォームホイールが当該ねじ部品１に乗り上がることなく円滑に噛み合わせ組み付けることも容易になる。
【００２２】
なお、前記山部２２を具備するねじ部品１は、図１ないし図４に示すウォームギヤであったり、図５に示すようなワークへ螺入される十字穴付きねじなどであってもよく、これらの山部２２は、ウォームギヤであればモジュール、十字穴付きねじなどであればピッチという各諸元に基づき成形されている。
【符号の説明】
【００２３】
１  …  ねじ部品
１０  …  支持軸部
１０ａ…  座面
１１  …  基部
１２  …  大径軸部
２０  …  ねじ軸部
２２  …  山部
２２ａ…  山頂
２２ｂ…  谷
Ａ  …  成形開始位置
【図１】
2019211061.tif 000003
【図２】
2019211061.tif 000004
【図３】
2019211061.tif 000005
【図４】
2019211061.tif 000006
【図５】
2019211061.tif 000007